(57)【要約】【課題】物体移動を伴う非定常場のシミュレーションを簡易かつ高精度で行うことができるとともに、シミュレーション解析に要する解析時間、解析コストを大幅に削減することができる非定常場の解析シミュレーションシステム、解析シミュレーションプログラム、及び解析シミュレーション方法を提供する。【解決手段】所定時間における移動体の移動経路を設定し、所定時間を複数の解析時間に分割してなる当該複数の解析時間それぞれにおける移動体の移動経路に基づいて、移動体における解析対象についてメッシュを設定する。次に、解析の初期条件の入力を受けて、該初期条件に基づいて境界条件を設定し、最初の解析時間における解析対象の挙動を解析する。そして、該解析処理の計算結果出力を次の解析時間における解析対象の挙動解析の境界条件として設定する。【選択図】  図３
2004326527.tif 000002
【特許請求の範囲】
【請求項１】
所定時間における移動体の移動経路を設定する移動経路設定手段と、
前記所定時間を複数の解析時間に分割し、該複数の解析時間それぞれにおける前記移動体の前記移動経路に基づいて、メッシュを設定するメッシュ設定手段と、
前記解析の初期条件の入力を受けて、該初期条件に基づいて境界条件を設定し、最初の前記解析時間のパラメータ解析を行う解析手段と、
該解析処理の計算結果出力を次の前記解析時間における前記境界条件として設定する境界値条件設定手段と
を具備することを特徴とする非定常場の解析シミュレーションシステム。
【請求項２】
所定時間における移動体の移動経路を設定する移動経路設定手段と、
前記所定時間を複数の解析時間に分割し、該複数の解析時間それぞれにおける前記移動体の前記移動経路に基づいて、メッシュを設定するメッシュ設定手段と、
前記解析の初期条件の入力を受けて、該初期条件に基づいて境界条件を設定し、最初の前記解析時間のパラメータ解析を行う解析手段と、
該解析処理の計算結果出力を次の前記解析時間における前記境界条件として設定する境界値条件設定手段と、
前記複数の解析時間それぞれにおける解析処理の計算結果出力をポスト処理するポスト処理手段と、
前記複数の解析時間それぞれについてのポスト処理結果に基づいて、前記所定時間における解析処理結果を出力する解析結果出力手段と
を具備することを特徴とする非定常場の解析シミュレーションシステム。
【請求項３】
所定時間における移動体の移動経路を設定する移動経路設定手段と、
前記所定時間を複数の解析時間に分割し、該複数の解析時間それぞれにおける前記移動体の前記移動経路に基づいて、前記移動体における熱流動場解析部分についてメッシュを設定するメッシュ設定手段と、
前記熱流動場解析の初期条件の入力を受けて、該初期条件に基づいて境界条件を設定し、最初の前記解析時間の熱流動場のパラメータ解析を行う解析手段と、
該熱流動場解析処理の計算結果出力を次の前記解析時間における熱流動場解析の前記境界条件として設定する境界値条件設定手段と
を具備することを特徴とする非定常場の熱流動場解析シミュレーションシステム。
【請求項４】
非定常場における解析シミュレーションをコンピュータに実行させるためのプログラムであって、
所定時間における移動体の移動経路を設定する処理と、
前記所定時間を複数の解析時間に分割し、該複数の解析時間それぞれにおける前記移動体の前記移動経路に基づいて、メッシュを設定する処理と、
前記解析の初期条件の入力を受けて、該初期条件に基づいて境界条件を設定し、最初の前記解析時間のパラメータ解析を行う処理と、
該解析処理の計算結果出力を次の前記解析時間における前記境界条件として設定する処理と
をコンピュータに実行させるための非定常場の解析シミュレーションプログラム。
【請求項５】
非定常場における解析シミュレーションをコンピュータに実行させるためのプログラムであって、
所定時間における移動体の移動経路を設定する処理と、
前記所定時間を複数の解析時間に分割し、該複数の解析時間それぞれにおける前記移動体の前記移動経路に基づいて、メッシュを設定する処理と、
前記解析の初期条件の入力を受けて、該初期条件に基づいて境界条件を設定し、最初の前記解析時間のパラメータ解析を行う処理と、
該解析処理の計算結果出力を次の前記解析時間における前記境界条件として設定する処理と、
前記複数の解析時間それぞれにおける解析処理の計算結果出力をポスト処理する処理と、前記複数の解析時間それぞれについてのポスト処理結果に基づいて、前記所定時間における解析処理結果を出力する処理と
をコンピュータに実行させるための非定常場の解析シミュレーションプログラム。
【請求項６】
非定常場における解析シミュレーションをコンピュータに実行させるためのプログラムであって、
所定時間における移動体の移動経路を設定する処理と、
前記所定時間を複数の解析時間に分割し、該複数の解析時間それぞれにおける前記移動体の前記移動経路に基づいて、前記移動体における熱流動場解析部分についてメッシュを設定する処理と、
前記熱流動場解析の初期条件の入力を受けて、該初期条件に基づいて境界条件を設定し、最初の前記解析時間の熱流動場のパラメータ解析を行う処理と、
該熱流動場解析処理の計算結果出力を次の前記解析時間における熱流動場解析の前記境界条件として設定する処理と
をコンピュータに実行させるための非定常場の解析シミュレーションプログラム。
【請求項７】
所定時間における移動体の移動経路を設定し、
前記所定時間を複数の解析時間に分割し、該複数の解析時間それぞれにおける前記移動体の前記移動経路に基づいて、前記移動体における解析対象についてメッシュを設定し、
前記解析の初期条件の入力を受けて、該初期条件に基づいて境界条件を設定し、最初の前記解析時間における前記解析対象の挙動を解析し、
該解析処理の計算結果出力を次の前記解析時間における前記境界条件として設定する
ことを特徴とする非定常場の解析シミュレーション方法。
【請求項８】
所定時間における移動体の移動経路を設定し、
前記所定時間を複数の解析時間に分割し、該複数の解析時間それぞれにおける前記移動体の前記移動経路に基づいて、前記移動体における解析対象についてメッシュを設定し、
前記解析の初期条件の入力を受けて、該初期条件に基づいて境界条件を設定し、最初の前記解析時間における前記解析対象の挙動を解析し、
該解析処理の計算結果出力を次の前記解析時間における前記解析対象の挙動解析の前記境界条件として設定し、
前記複数の解析時間それぞれにおける解析処理の計算結果出力をポスト処理し、
前記複数の解析時間それぞれについてのポスト処理結果に基づいて、前記所定時間における解析処理結果を出力する
ことを特徴とする非定常場の解析シミュレーション方法。
【請求項９】
所定時間における移動体の移動経路を設定し、
前記所定時間を複数の解析時間に分割し、該複数の解析時間それぞれにおける前記移動体の前記移動経路に基づいて、前記移動体における熱流動場解析部分についてメッシュを設定し、
前記熱流動場解析の初期条件の入力を受けて、該初期条件に基づいて境界条件を設定し、最初の前記解析時間における前記解析部分についての熱流動場をパラメータ解析し、
該熱流動場解析処理の計算結果出力を次の前記解析時間における熱流動場解析の前記境界条件として設定する
ことを特徴とする非定常場の解析シミュレーション方法。
【発明の詳細な説明】
【０００１】
【発明の属する技術分野】
本発明は、物体移動を伴う非定常場の解析シミュレーションシステム、解析シミュレーションプログラム、及び解析シミュレーション方法に関する。
【０００２】
【従来の技術】
従来の物体移動を伴う非定常熱流動場のシミュレーション技術として、熱流動解析結果の流速場データに基づいて混合性能を固有値という概念を用いて評価する熱流動解析システムが知られている。
この熱流動解析システムにおいては、まず粒子追跡解析部が、熱流動解析部の熱流動解析の結果得られた離散化された流速場データに基づき、データ間を内挿計算により結合して流跡線データを求める。次に、混合性能評価解析部は、各流跡線に対して、その流跡線上の点と、この点から所定距離内に存在する近傍の流跡線群上の点とを結ぶベクトルの所定時間後の変化を計算し、線形近似によりベクトルの変化を表す変換行列を求め、この変換行列により任意の３次元領域を変換した際の領域の固有ベクトル方向への引伸ばし率の最大値に対応する固有値の最大成分をその区間における領域の引伸ばし率とし、この引伸ばし率を所定時間ごとに流跡線の所定の位置まで繰り返し求め、その平均値により各流跡線に沿った混合の履歴を指標化する。
【０００３】
【特許文献１】
特開平１１−２１１７４４号公報
【０００４】
【発明が解決しようとする課題】
しかし、現在のシミュレーション技術で、このような物体移動を伴う非定常熱流動場をシミュレーションする場合、物体の移動に伴って物体に切られたメッシュを移動させるムービングメッシュが必要となる。
しかし、ムービングメッシュによるシミュレーションは、計算アルゴリズムが複雑であるため、計算負荷が非常に大きくコストパフォーマンスが悪いため、実用化には向いていないという問題点がある。また、現在のムービングメッシュによるシミュレーションは、計算負荷の割に解析精度が低いという問題点がある。
【０００５】
本発明は、このような事情を考慮してなされたものであり、その目的は、物体移動を伴う非定常場のシミュレーションを簡易かつ高精度で行うことができるとともに、シミュレーション解析に要する解析時間、解析コストを大幅に削減することができる非定常場の解析シミュレーションシステム、解析シミュレーションプログラム、及び解析シミュレーション方法を提供することにある。
【０００６】
【課題を解決するための手段】
この発明は上記の課題を解決すべくなされたもので、請求項１に記載の発明は、所定時間における移動体の移動経路を設定する移動経路設定手段と、前記所定時間を複数の解析時間に分割し、該複数の解析時間それぞれにおける前記移動体の前記移動経路に基づいて、メッシュを設定するメッシュ設定手段と、前記解析の初期条件の入力を受けて、該初期条件に基づいて境界条件を設定し、最初の前記解析時間のパラメータ解析を行う解析手段と、該解析処理の計算結果出力を次の前記解析時間における前記境界条件として設定する境界値条件設定手段とを具備することを特徴とする。
【０００７】
請求項２に記載の発明は、所定時間における移動体の移動経路を設定する移動経路設定手段と、前記所定時間を複数の解析時間に分割し、該複数の解析時間それぞれにおける前記移動体の前記移動経路に基づいて、メッシュを設定するメッシュ設定手段と、前記解析の初期条件の入力を受けて、該初期条件に基づいて境界条件を設定し、最初の前記解析時間のパラメータ解析を行う解析手段と、該解析処理の計算結果出力を次の前記解析時間における前記境界条件として設定する境界値条件設定手段と、前記複数の解析時間それぞれにおける解析処理の計算結果出力をポスト処理するポスト処理手段と、前記複数の解析時間それぞれについてのポスト処理結果に基づいて、前記所定時間における解析処理結果を出力する解析結果出力手段とを具備することを特徴とする。
【０００８】
請求項３に記載の発明は、所定時間における移動体の移動経路を設定する移動経路設定手段と、前記所定時間を複数の解析時間に分割し、該複数の解析時間それぞれにおける前記移動体の前記移動経路に基づいて、前記移動体における熱流動場解析部分についてメッシュを設定するメッシュ設定手段と、前記熱流動場解析の初期条件の入力を受けて、該初期条件に基づいて境界条件を設定し、最初の前記解析時間の熱流動場のパラメータ解析を行う解析手段と、該熱流動場解析処理の計算結果出力を次の前記解析時間における熱流動場解析の前記境界条件として設定する境界値条件設定手段とを具備することを特徴とする。
【０００９】
請求項４に記載の発明は、非定常場における解析シミュレーションをコンピュータに実行させるためのプログラムであって、所定時間における移動体の移動経路を設定する処理と、前記所定時間を複数の解析時間に分割し、該複数の解析時間それぞれにおける前記移動体の前記移動経路に基づいて、メッシュを設定する処理と、前記解析の初期条件の入力を受けて、該初期条件に基づいて境界条件を設定し、最初の前記解析時間のパラメータ解析を行う処理と、該解析処理の計算結果出力を次の前記解析時間における前記境界条件として設定する処理とをコンピュータに実行させるための非定常場の解析シミュレーションプログラムである。
【００１０】
請求項５に記載の発明は、非定常場における解析シミュレーションをコンピュータに実行させるためのプログラムであって、所定時間における移動体の移動経路を設定する処理と、前記所定時間を複数の解析時間に分割し、該複数の解析時間それぞれにおける前記移動体の前記移動経路に基づいて、メッシュを設定する処理と、前記解析の初期条件の入力を受けて、該初期条件に基づいて境界条件を設定し、最初の前記解析時間のパラメータ解析を行う処理と、該解析処理の計算結果出力を次の前記解析時間における前記境界条件として設定する処理と、前記複数の解析時間それぞれにおける解析処理の計算結果出力をポスト処理する処理と、前記複数の解析時間それぞれについてのポスト処理結果に基づいて、前記所定時間における解析処理結果を出力する処理とをコンピュータに実行させるための非定常場の解析シミュレーションプログラムである。
【００１１】
請求項６に記載の発明は、非定常場における解析シミュレーションをコンピュータに実行させるためのプログラムであって、所定時間における移動体の移動経路を設定する処理と、前記所定時間を複数の解析時間に分割し、該複数の解析時間それぞれにおける前記移動体の前記移動経路に基づいて、前記移動体における熱流動場解析部分についてメッシュを設定する処理と、前記熱流動場解析の初期条件の入力を受けて、該初期条件に基づいて境界条件を設定し、最初の前記解析時間の熱流動場のパラメータ解析を行う処理と、該熱流動場解析処理の計算結果出力を次の前記解析時間における熱流動場解析の前記境界条件として設定する処理とをコンピュータに実行させるための非定常場の解析シミュレーションプログラムである。
【００１２】
請求項７に記載の発明は、所定時間における移動体の移動経路を設定し、前記所定時間を複数の解析時間に分割し、該複数の解析時間それぞれにおける前記移動体の前記移動経路に基づいて、前記移動体における解析対象についてメッシュを設定し、前記解析の初期条件の入力を受けて、該初期条件に基づいて境界条件を設定し、最初の前記解析時間における前記解析対象の挙動を解析し、該解析処理の計算結果出力を次の前記解析時間における前記境界条件として設定することを特徴とする。
【００１３】
請求項８に記載の発明は、所定時間における移動体の移動経路を設定し、前記所定時間を複数の解析時間に分割し、該複数の解析時間それぞれにおける前記移動体の前記移動経路に基づいて、前記移動体における解析対象についてメッシュを設定し、前記解析の初期条件の入力を受けて、該初期条件に基づいて境界条件を設定し、最初の前記解析時間における前記解析対象の挙動を解析し、該解析処理の計算結果出力を次の前記解析時間における前記解析対象の挙動解析の前記境界条件として設定し、前記複数の解析時間それぞれにおける解析処理の計算結果出力をポスト処理し、前記複数の解析時間それぞれについてのポスト処理結果に基づいて、前記所定時間における解析処理結果を出力することを特徴とする。
【００１４】
請求項９に記載の発明は、所定時間における移動体の移動経路を設定し、前記所定時間を複数の解析時間に分割し、該複数の解析時間それぞれにおける前記移動体の前記移動経路に基づいて、前記移動体における熱流動場解析部分についてメッシュを設定し、前記熱流動場解析の初期条件の入力を受けて、該初期条件に基づいて境界条件を設定し、最初の前記解析時間における前記解析部分についての熱流動場をパラメータ解析し、該熱流動場解析処理の計算結果出力を次の前記解析時間における熱流動場解析の前記境界条件として設定することを特徴とする。
【００１５】
【発明の実施の形態】
以下、図面を参照して、本発明の非定常場解析シミュレーションシステムの一実施形態について説明する。図１は、本実施形態の非定常場解析シミュレーションシステム１の構成を示す構成図である。なお、本実施形態においては、飛翔体（飛行機やロケットなど）の後端部に位置するブラスト発生箇所であるノズル部における熱流動場を解析対象とした例について説明するが、本発明の適用範囲はこれに限られるものではなく、例えば、車両が移動する熱流動場の非定常シミュレーションや船舶が移動する熱流動場の非定常シミュレーション、コンピュータグラフィックスを用いたＣＧ映画等にも適用可能である。
【００１６】
本実施形態の非定常場解析シミュレーションシステム１は、移動経路設定部１０と、メッシュ設定部１１と、境界値条件設定部１２と、解析部１３と、ポスト処理部１４と、解析結果出力部１５とから構成される。
移動経路設定部１０は、所定時間における移動体の移動経路を設定する。
ここで、移動体とは、上述したように、飛翔体、車両、船舶等のように、移動開始時からの時間経過に基づいて位置座標が変化する物体をコンピュータ上でシミュレートしたオブジェクトである。
また、移動体の移動経路とは、移動開始時からの経過時間と関連付けられた、上記オブジェクトの座標値の集合を線形補完して得られる点・線情報である。
【００１７】
メッシュ設定部１１は、まず移動経路設定部１０が設定した移動体の移動経路を包含するメッシュ空間を設定するとともに、所定の移動時間（＝設定した移動経路の通過に要する所要時間）を複数の解析時間に分割し、複数の解析時間それぞれにおける移動体の移動経路に基づいて、メッシュ空間における熱流動場解析部分についてメッシュを設定する。
図２は、移動経路設定部１０によって設定された、解析時間ｔ１〜ｔｎからなる所定の移動時間における飛翔体の移動経路を示す図である。
今、飛翔体の移動開始時における位置を位置０とすると、移動開始時から解析時間ｔ１経過後には、飛翔体は位置１に存在するものとする。また、同様に、移動開始時から解析時間ｔ１経過後より、さらに、解析時間ｔ２経過後には、飛翔体は位置２に存在するものとする。そして、以下同様に、解析時間ｔｋ経過後の飛翔体の位置を位置ｋ（１＜ｋ＜ｎ  ただし、ｋ、ｎは２以上の自然数）と規定し、移動開始からの経過時間と飛翔体の位置情報とを対応付けたテーブルを生成する。
なお、本実施形態において、飛翔体の位置情報は、厳密には、飛翔体の後端部に位置するブラスト発生箇所であるノズル部に相当する。
【００１８】
そして、メッシュ設定部１１は、上記テーブルに基づいて、位置０〜ｎそれぞれにおけるノズル部の熱流動場については、必要に応じて解析メッシュを細かく設定し、他のメッシュ空間内の部分については、許容される計算処理負荷に応じて、解析メッシュを粗く設定する。すなわち、メッシュ設定部１１は、熱流動場のパラメータ解析に先立って、予め時間経過に依存しない固定のメッシュを生成し、所定の記憶部に書き込む。
解析部１３は、熱流動場解析の初期条件の入力を受けて、初期条件に基づいて当該場解析の境界条件を設定し、記憶部に書き込まれたメッシュ空間において、最初の解析時間の熱流動場のパラメータ解析を行う。
【００１９】
ここで、熱流動場解析の初期条件とは、例えば、ノズル部噴出条件（全圧・静圧、全温度、燃焼ガス濃度、乱流パラメータ）、周囲（大気）条件（静圧、全温度、大気濃度、乱流パラメータ）、解析領域（圧力分布、温度分布、速度分布、燃焼ガス及び大気濃度分布、乱流パラメータ）などのパラメータから構成され、解析部１３は、このパラメータそれぞれの値を境界値条件として、移動開始から解析時間ｔ１間のノズル部周辺メッシュ部分について熱流動場をパラメータ解析し、境界値条件設定部１２及びポスト処理部１４に対して、当該解析結果を出力する。
なお当該初期条件の入力は、当該解析シミュレーションシステムにおける所定の入力部において、ユーザが上記パラメータの設定を行うことで実行される。
【００２０】
境界値条件設定部１２は、１つ前のステップでの最終解析結果をこのステップの初期条件とする。すなわち、境界値条件設定部１２は、解析部１３における、熱流動場解析処理の計算結果出力（ノズル部噴出条件、周囲（大気）条件はすべてのステップにおいて共通とし、解析領域（場）に関するパラメータ（圧力分布、温度分布、速度分布、大気中の燃焼ガス濃度分布、乱流パラメータ）を更新する）を次の解析時間（初期状態では、次の解析時間は、解析時間ｔ２となり、これを一般化すれば、１解析時間だけインクリメントした解析時間となる）における熱流動場解析の境界条件として設定する。
ポスト処理部１４は、解析部１３における、複数の解析時間（本実施形態においては、ｎ個の解析時間ｔ１〜ｔｎ）それぞれにおける解析処理の計算結果の入力を受けて、それぞれをポスト処理する。
【００２１】
すなわち、ポスト処理部１４は、例えば、解析時間ｔ１における解析処理の計算結果が複数の解析結果データファイルからなる場合、当該複数の解析結果データファイルの入力を受けて、この複数の解析結果データファイルを順番に自動的読み込み、読み込んだ解析結果データファイルからイメージデータを生成し、一時記憶部に書き込む。
そして、ポスト処理部１４は、これと同様の処理を残りすべての解析時間ｔ２〜ｔｎについて実行し、解析結果出力部１５に対して出力する。
解析結果出力部１５は、複数の解析時間それぞれについてのポスト処理結果に基づいて、所定の移動時間における解析処理結果をイメージ出力する。
すなわち、解析結果出力部１５は、ポスト処理部１４が一時記憶に書き込んだイメージデータを時系列順に読み出して、表示部に表示する。
【００２２】
次に、図面を参照して、本実施形態の非定常場解析シミュレーションシステムの動作について説明する。図３は、本実施形態の非定常場解析シミュレーションシステムによる非定常場解析シミュレーション処理の過程を示すフローチャートである。
今、飛翔体のノズル部周辺において、移動時間Σ（解析時間ｔｋ）において、どのような熱流動場の挙動が起きているのかをコンピュータシステム上でシミュレートする場合、ユーザは、所定の移動経路算出プログラムを利用して、移動開始からの経過時刻と関連付けられた飛翔体の移動経路データを得る。次に、ユーザは、当該非定常場解析シミュレーションシステムにおいて、この移動経路データを入力する。
当該非定常場解析シミュレーションシステムにおいて、まず移動経路設定部１０は、移動経路データの入力を受けて、この移動時間における移動体の移動経路を設定する。
【００２３】
飛翔体の移動経路が設定されると、移動経路メッシュ設定部１１は、移動時間を複数の解析時間に分割し、複数の解析時間それぞれにおける移動体の移動経路に基づいて、飛翔体のノズル部についてメッシュ生成処理を実行する。本実施形態においては、上述したように、移動時間をｎ個の解析時間ｔ１〜ｔｎに分割して、それぞれの解析時間から規定される位置をデータテーブルから読み出して、読み出した位置情報に基づき、まずメッシュ空間を設定する。そして、設定したメッシュ空間において、ノズル部周辺の解析メッシュを細かく設定し、他の部分においては解析メッシュを荒く設定して解析メッシュを生成する。
なお、移動時間の分割単位は任意の設定事項であり、本シミュレーションシステムに入力された移動経路データの時間刻みをそのまま利用する場合は、当該分割処理は省略可能である。
【００２４】
移動経路メッシュ設定部１１において、飛翔体の移動経路におけるメッシュが生成されると、解析部１３は、ユーザによる熱流動場解析の初期条件の入力を受けて、初期条件を境界条件と設定し（図３のステップＳ１を参照）、メッシュ空間における熱流動場のパラメータの挙動、つまり、解析時間ｔ１という時間セグメントについての熱流動場のパラメータ解析を行う（ステップＳ２）。
そして、解析部１３はこの解析結果を所定の記憶部に計算結果出力ファイルとして書き込み（ステップＳ３）、境界値条件設定部１２及びポスト処理部１４に対して出力する。
境界値条件設定部１２は、解析部１３における、熱流動場解析処理の計算結果出力を解析時間ｔ２における熱流動場解析の境界条件として解析部１３に対して設定する（ステップＳ４）。
一方、ポスト処理部１４は、解析部１３における、解析時間ｔ１における計算結果出力ファイルの入力を受けてこれをポスト処理する（ステップＳ５）。
【００２５】
次に、解析部１３は、上述したように、境界値条件設定部１２により熱流動場解析の次の境界条件の入力を受けて、これを解析時間ｔ２における境界条件と設定し（ステップＳ６を参照）、上述したメッシュ空間における熱流動場のパラメータの挙動、つまり、解析時間ｔ２という時間セグメントについての熱流動場のパラメータ解析を行う（ステップＳ７）。
そして、解析部１３はこの解析結果を所定の記憶部に計算結果出力ファイルとして書き込み（ステップＳ８）、境界値条件設定部１２及びポスト処理部１４に対して出力する。
境界値条件設定部１２は、解析部１３における、熱流動場解析処理の計算結果出力を解析時間ｔ２における熱流動場解析の境界条件として設定する（ステップＳ９）。
一方、ポスト処理部１４は、解析部１３における、解析時間ｔ１における計算結果出力ファイルの入力を受けてこれをポスト処理する（ステップＳ１０）。
【００２６】
そして、解析部１３、境界値条件設定部１２、ポスト処理部１４は、ステップＳ６〜Ｓ１０と同様に処理ルーチンを解析時間ｔｎに至るまで繰り返し実行する（ステップＳ１１〜Ｓ２４）。
そして、ポスト処理部１４が、すべての解析時間ｔ２〜ｔｎについて解析結果出力部１５に対して出力すると、解析結果出力部１５は、複数の解析時間それぞれについてのポスト処理結果に基づいて、当該移動時間における解析処理結果をイメージ出力する（ステップＳ２５）。
【００２７】
したがって、本実施形態の非定常場の解析シミュレーションシステムによれば、物体移動を伴う非定常場のシミュレーションを簡易かつ高精度で行うことができる効果が得られる。したがって、シミュレーション解析に要する解析時間の大幅な短縮効果が期待でき、さらに、解析コストを大幅に低減することができる効果が得られる。
【００２８】
上述の非定常場の解析シミュレーションシステムは、内部に、コンピュータシステムを有している。
そして、上述した非定常場の解析シミュレーション処理に関する一連の処理の過程は、プログラムの形式でコンピュータ読み取り可能な記録媒体に記憶されており、このプログラムをコンピュータが読み出して実行することによって、上記処理が行われる。
すなわち、上述の非定常場の解析シミュレーションシステムにおける、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２９】
【発明の効果】
以上説明したように、本願発明は、所定時間における移動体の移動経路を設定し、所定時間を複数の解析時間に分割し、該複数の解析時間それぞれにおける移動体の移動経路に基づいて、移動体における解析対象についてメッシュを設定し、解析の初期条件の入力を受けて、該初期条件に基づいて境界条件を設定し、最初の解析時間における解析対象の挙動を解析し、該解析処理の計算結果出力を次の解析時間における解析対象の挙動解析の境界条件として設定するので、物体移動を伴う非定常場のシミュレーションを簡易かつ高精度で行うことができる効果が得られる。
【００３０】
また、本願発明は、所定時間における移動体の移動経路を設定し、所定時間を複数の解析時間に分割し、該複数の解析時間それぞれにおける移動体の移動経路に基づいて、移動体における解析対象についてメッシュを設定し、解析の初期条件の入力を受けて、該初期条件に基づいて境界条件を設定し、最初の解析時間における解析対象の挙動を解析し、該解析処理の計算結果出力を次の解析時間における解析対象の挙動解析の境界条件として設定し、複数の解析時間それぞれにおける解析処理の計算結果出力をポスト処理し、複数の解析時間それぞれについてのポスト処理結果に基づいて、所定時間における解析処理結果を出力するので、物体移動を伴う非定常場のシミュレーションを簡易かつ高精度で行うことができる効果が得られるとともに、ユーザにおいては、当該解析結果を直接利用できる形式で得ることができる効果が得られる。
【図面の簡単な説明】
【図１】本実施形態の非定常場解析シミュレーションシステム１の構成を示す構成図である。
【図２】解析時間ｔ１〜ｔｎからなる所定の移動時間における飛翔体の移動経路を示す図である。
【図３】本実施形態の非定常場解析シミュレーションシステムによる非定常場解析シミュレーション処理の過程を示すフローチャートである。
【符号の説明】
１…非定常場解析シミュレーションシステム
１０…移動経路設定部
１１…メッシュ設定部
１２…境界値条件設定部
１３…解析部
１４…ポスト処理部
１５…解析結果出力部
【図１】
2004326527.tif 000003
【図２】
2004326527.tif 000004
【図３】
2004326527.tif 000005